【手続補正書】
【提出日】平成15年11月11日(2003.11.11)
【手続補正１】
【補正対象書類名】明細書
【補正対象項目名】全文
【補正方法】変更
【補正の内容】
【発明の名称】窓枠構造
【特許請求の範囲】
【請求項１】窓枠の溝部に板状のセッティング台を介してガラス板を装着する窓枠構造において、
前記セッティング台には、前記の溝部に形成された排水用溝に嵌入する突条部が形成され、前記の突条部を、前記の排水用溝に嵌入することにより、前記セッティング台を前記溝部に装着することを特徴とする窓枠構造。
【請求項２】前記突条部には、排水用の孔又は溝が形成されていることを特徴とする請求項１記載の窓枠構造。
【請求項３】窓枠の溝部に複層ガラス板を装着する窓枠構造において、
前記複層ガラス板の周縁部に一体成形された樹脂部材に突条部を形成し、前記突条部を、前記溝部に形状された排水用溝に嵌入することにより、前記複層ガラス板を前記溝部に装着することを特徴とする窓枠構造。
【発明の詳細な説明】
【０００１】
【発明の属する技術分野】
本発明は窓枠構造に係り、特に窓枠の溝部に板状のセッティング台を介してガラス板を装着する窓枠構造に関する。
【０００２】
【従来の技術】
セッティング台は、ガラス板を窓枠の溝部に取り付ける際に、ガラス板と窓枠の溝部との間に介在される板状の台であり、このセッティング台は窓枠の溝部に、接着剤又は両面テープ等の接着部材によって予め固着されている。
【０００３】
【発明が解決しようとする課題】
しかしながら、接着剤を使用するセッティング台の固着方法では、接着剤が乾燥するまでガラス板を装着することができないので、窓枠の組立に時間がかかるという欠点がある。
また、セッティング台を両面テープで固着するセッティング台の固着方法では、両面テープの使用によってコストが高くなるという欠点がある。
【０００４】
本発明は、このような事情に鑑みてなされたもので、セッティング台を廉価で容易に取り付けることができる窓枠構造を提供することを目的とする。
【０００５】
【課題を解決する為の手段】
本発明は、前記目的を達成するために、窓枠の溝部に板状のセッティング台を介してガラス板を装着する窓枠構造において、前記セッティング台には、前記溝部に形成された排水用溝に嵌入する突条部が形成され、前記突条部を、前記排水用溝に嵌入することにより、前記セッティング台を前記溝部に装着することを特徴としている。
【０００６】
本発明によれば、窓枠の溝部に排水用溝が形成されていることに着目し、この排水用溝をセッティング台の固着に際し有効利用したもので、セッティング台に突条部を形成し、この突条部を前記排水用溝に嵌入させることにより、セッティング台を窓枠の溝部にワンタッチで取り付けるようにした。これにより、本発明は、セッティング台を廉価で容易に取り付けることができる。
【０００７】
請求項２記載の発明は、前記突条部に、排水用の孔又は溝を形成したものであり、これによって、突条部が排水用の溝部に嵌入しても、突条部に形成した排水用の孔又は溝で、雨水等を排水することができる。
請求項３記載の発明は、ガラス板として複層ガラス板を適用した窓枠に関し、この場合には、複層ガラス板の周縁部に一体形成されている樹脂部材に突条部を形成し、この突条部を、前記溝部に形成された排水用溝に嵌入すれば、複層ガラス板を窓枠に廉価で容易に取り付けることができる。
【０００８】
【発明の実施の形態】
以下添付図面に従って本発明に係る窓枠構造の好ましい実施の形態について詳説する。
図１は、本発明に係る窓枠構造が適用された木製サッシの内障子１０の全体斜視図、図２はその内障子１０の分解斜視図である。
【０００９】
図１、図２に示すように内障子１０は、矩形状の枠体を構成する左右一対の縦框１２Ａ、１２Ｂ、上下一対の横框１４Ａ（上框）、１４Ｂ（下框）、及びその枠体に嵌め込まれる透明ガラス板１６から構成される。
図２において上框１４Ａには、その上面に溝２０が形成される。溝２０は上框１４Ａの長手方向に沿って形成され、この溝２０には、ＰＶＣで形成された上ガイド部材２２が固着されている。上ガイド部材２２は、断面が凹状に形成され、図示しない建物の躯体開口部側に設けられた上ガイドレールに係合される。これにより、上框１４Ａが上ガイドレールに沿って走行自在に支持される。また、上ガイド部材２２の内側には、２枚の板状のパッキン２４、２４が貼着されている。パッキン２４、２４は、上ガイド部材２２の長手方向で対向する面に貼着されており、その間で前記上ガイドレールが弾性をもって挟持される。したがって、２枚のパッキン２４、２４によって、上框１４Ａと上ガイドレールとの間の気密性、及び水密性が維持される。尚，パッキン２４は片側の１枚でもよい。上ガイド部材２２は、上框１４Ａの両端部から所定量延長されており、この延長部２２Ａ、２２Ａが縦框１２Ａ、１２Ｂの上部溝部２６、２６に係合される。
【００１０】
上框１４Ａの両端部には、ほぞを構成するＬ字状のばね鋼材２８、２８が設けられる。ばね鋼材２８は縦框１２Ａ、１２Ｂの上部の外側から挿入されたボルト３０によって縦框１２Ａ、１２Ｂの上部と９０°の角度をもって締結される。
図２に示す下框１４Ｂには、図３中破線で示すようにその下面に溝３２が形成される。前記溝３２は、下框１４Ｂの長手方向に沿って形成され、アルミで形成された断面凹状の下ガイド部材３４が固着される。この下ガイド部材３４は、図示しない建物の躯体開口部側に設けられた下ガイドレールに係合される。これにより、内障子１０の下框１４Ｂが下ガイドレールに沿って走行自在に支持される。また、下ガイド部材３４の内側には、図示しない１枚又は２枚の板状のパッキンが貼着されている。これらのパッキンは、下ガイド部材３４の長手方向で対向する面に貼着されており、その間で下ガイドレールが弾性をもって挟持される。したがって、この１枚又は２枚のパッキンによって、下框１４Ｂと下ガイドレールとの間の気密性、及び水密性が維持される。
【００１１】
下ガイド部材３４は、上ガイド部材２２（図２参照）と同様に、下框１４Ｂの両端部から所定量延長されており、この延長部３４Ａ、３４Ａが縦框１２Ａ、１２Ｂの下部溝部３６、３６に係合される。
下框１４Ｂの両端部には、ほぞを構成するＬ字状のばね鋼材２８、２８が設けられる。ばね鋼材２８は、前記上框１４Ａに設けられたばね鋼材２８と同一部材であり、縦框１２Ａ、１２Ｂの下部の外側から挿入されたボルト３０によって、縦框１２Ａ、１２Ｂの下部と９０°の角度をもって締結される。
【００１２】
図３は、下框１４Ｂと縦框１２Ｂとの組立構造を示す分解斜視図である。
同図に示すように、下框１４Ｂの端部にはばね鋼材２８が設けられ、ばね鋼材２８は、平坦部４６と折曲部４８とでＬ字状に形成される。ばね鋼材２８は、下框１４Ｂの溝４４の底部に形成された雨水排水用溝５０に、平坦部４６に形成された２本の爪５２、５２が係合されて位置決めされたのち、木ねじ５４、５４によって下框１４Ｂに固定される。
【００１３】
前記折曲部４８には、図３中破線で示すようにねじ孔５８が形成される。ねじ孔５８は、ボルト３０のねじ部３１と螺合される。ボルト３０は図４に示すように縦框１２Ｂの外側に形成された溝６０から貫通孔６２を介して縦框１２Ｂの内側に挿入される。そして、ボルト３０のねじ部３１が、受板６４の貫通孔６６を介して、折曲部４８のねじ孔５８に螺合される。受板６４は鉄製であり図３に示すように、縦框１２Ｂの溝４２の底部に形成された雨水排水用溝７０に、その上下端部に形成された２本の爪７２、７２が係合されて位置決めされる。この後、受板６４は、２本の木ねじ７４、７４によって縦框１２Ｂに固定される。
【００１４】
ボルト３０には、ナット６８が予め取り付けられ、ナット６８が受板６４の裏面に当接してストッパとして作用することにより、ボルト３０による締結が行われる。ボルト３０を締め付けていくと、ばね鋼材２８の折曲部４８がねじ部３１との螺合によって、引き寄せられて弾性変形し始める。これによって、ばね鋼材２８に復元力が生じ、この復元力によって下框１４Ｂと縦框１２Ｂとが互いに引き寄せられて密着される。これにより、下框１４Ｂと縦框１２Ｂとの組み立てが終了する。
【００１５】
ところで、第１の実施の形態に係るセッティング台８１が下框１４Ｂに取り付けられている。このセッティング台８１は、透明ガラス板１６を下框１４Ｂの溝４４に取り付ける際に、透明ガラス板１６と溝４４との間に介在される板状の台で、材質がＰＶＣで押し出し成形されることにより製造されている。
図５において、前記セッティング台８１の下面中央には、突条部８２がセッティング台８１の長手方向に沿って一体成形されている。この突条部８２は断面が円筒状に形成され、その外径は、前記雨水排水用溝５０に弾性をもって嵌入される大きさに形成されている。また、突条部８２の中空部８４は、突条部８２が雨水排水用溝５０に嵌入された際に、雨水排水用孔を形成する。
【００１６】
このように構成されたセッティング台８１によれば、その突条部８２を、下框１４Ｂの雨水排水用溝５０に嵌入させるだけで、下框１４Ｂにワンタッチで取り付けることができる。したがって、この窓枠構造によれば、セッティング台８１を廉価で容易に取り付けることができる。
図６は、第２の実施の形態に係るセッティング台８６の斜視図であり、このセッティング台８６も材質がＰＶＣで押し出し成形されることにより製造されている。
【００１７】
前記セッティング台８６の下面中央には、突条部８８がセッティング台８６の長手方向に沿って一体成形されている。この突条部８８は、二股状に形成されて雨水排水用溝５０に弾性をもって嵌入される。このように構成されたセッティング台８６も、前記セッティング台８１と同様に、その突条部８８を、下框１４Ｂの雨水排水用溝５０に嵌入させるだけで、下框１４Ｂにワンタッチで取り付けることができる。
【００１８】
本実施の形態では、下框１４Ｂに取り付けられるセッティング台８１、８６について説明したが、このセッティング台８１、８６を縦框１２Ａ、１２Ｂ、上框１４Ａに取り付けても良いことはいうまでもない。
図７は、複層ガラス板９０の要部断面図であり、この複層ガラス板９０は、２枚のガラス板９２、９２、スペーサ９４、及び複層ガラス板９０の周縁に一体形成される樹脂部材９６から構成される。前記複層ガラス板９０を、障子のガラス板に適用する場合には、前記樹脂部材９６に突条部９８を形成し、この突条部９８を、前記雨水排水用溝５０（図５、図６参照）に嵌入すれば、複層ガラス板９０を障子にワンタッチで装着することができる。
【００１９】
【発明の効果】
以上説明したように本発明に係る窓枠構造によれば、セッティング台に突条部を形成し、この突条部を、窓枠の溝部に形成されている排水用溝に嵌入させることにより、セッティング台を窓枠の溝部にワンタッチで取り付け可能としたので、セッティング台を廉価で容易に取り付けることができる。
【００２０】
また、ガラス板が複層ガラス板の場合には、複層ガラス板に一体成形された樹脂部材に突条部を形成し、この突条部を窓枠の排水用溝に嵌入させて取り付ければ良い。
【図面の簡単な説明】
【図１】本発明の実施の形態に係る窓枠構造が適用された木製サッシの障子の斜視図
【図２】図１に示した障子の分解斜視図
【図３】障子の縦框と横框との連結部を示す要部拡大斜視図
【図４】障子の縦框と横框との連結部の縦断面図
【図５】セッティング台の第１の実施の形態を示す斜視図
【図６】セッティング台の第２の実施の形態を示す斜視図
【図７】複層ガラス板の樹脂部材に突条部が形成された要部断面図
【符号の説明】
１０…内障子
１２Ａ、１２Ｂ…縦框
１４Ａ、１４Ｂ…横框
１６…透明ガラス板
８１、８６…セッティング台
８２、８８、９８…突条部
９０…複層ガラス板